【手続補正書】
【提出日】平成26年5月7日(2014.5.7)
【手続補正１】
【補正対象書類名】特許請求の範囲
【補正対象項目名】全文
【補正方法】変更
【補正の内容】
【特許請求の範囲】
【請求項１】
フローサイトメーターであって、前記フローサイトメーターは、
検知ゾーンの中の試料粒子を励起するように位置決めされたレーザービームと、
前記試料粒子が前記レーザービームによって識別される前記検知ゾーンを通るように前記試料粒子の流れを誘導する開口であって、前記開口は、断面寸法を有する、開口と、
前記開口の前記断面寸法の大きさ以下である断面寸法を有する複数の穴を有するフィルターを含むフローサイトメーター濾過システムと
を含み、
前記フィルターは、２００マイクロリットル／分未満の流体速度を有する前記フローサイトメーターの領域の中に配置されている、フローサイトメーター。
【請求項２】
２００マイクロリットル／分未満の流体速度を有する前記フローサイトメーターの領域の中に配置された試料注入器をさらに含む、請求項１に記載のフローサイトメーター。
【請求項３】
バックフラッシングシステムをさらに含み、前記フィルターは、前記フローサイトメーターの中において、前記フィルターが２００マイクロリットル／分よりも大きい高流体速度でバックフラッシングされ得る場所に位置決めされている、請求項１または２に記載のフローサイトメーター。
【請求項４】
前記バックフラッシングシステムは、自動目詰まり検出システムをさらに含む、請求項３に記載のフローサイトメーター。
【請求項５】
前記開口は、正方形、長方形、および正三角形から選択される断面形状を有する、請求項１〜４のいずれかに記載のフローサイトメーター。
【請求項６】
前記開口の前記断面寸法は、片側１００〜３００ミクロンである、請求項１〜５のいずれかに記載のフローサイトメーター。
【請求項７】
前記開口は、１０００ミクロンの長さよりも長い長さを有する、請求項１〜６のいずれかに記載のフローサイトメーター。
【請求項８】
前記断面寸法は、前記粒子が前記レーザービームによって識別される前記開口の中心への前記粒子の流体力学的集中を可能にする、請求項１〜７のいずれかに記載のフローサイトメーター。
【請求項９】
前記フィルターは、前記開口の目詰まりを防止する、請求項１〜８のいずれかに記載のフローサイトメーター。
【請求項１０】
フローサイトメーターの中の試料粒子を濾過するフローサイトメーター濾過システムであって、前記フローサイトメーター濾過システムは、
フローサイトメーター開口の目詰まりを防止するように構成されたフィルターと、
前記フィルターの中に形成された複数の穴と
を含み、
前記複数の穴は、前記複数の穴のうちの１つ以上が部分的に遮断されている場合に複数の経路を粒子に提供する、フローサイトメーター濾過システム。
【請求項１１】
前記フィルターの中に形成された前記複数の穴は、全体の流体抵抗を減少させ、前記複数の穴のうちの任意の単一穴を通る流体速度を減少させ、前記複数の穴のうちの１つ以上が部分的に遮断されている場合に複数の経路を提供する、請求項１０に記載のフローサイトメーター濾過システム。
【請求項１２】
前記複数の穴は、フローサイトメーター開口の断面領域の大きさ以下である断面領域を有する、請求項１０または１１に記載のフローサイトメーター濾過システム。
【請求項１３】
前記複数の穴は、９個の穴を含み、前記複数の穴は、３００ミクロン未満の長さを有する、請求項１０〜１２のいずれかに記載のフローサイトメーター濾過システム。
【請求項１４】
フローサイトメーター開口の目詰まりを防止する方法であって、前記方法は、
２００マイクロリットル／分未満の流体速度を有するフローサイトメーターの領域の中にフィルターを配置することであって、前記フィルターは、複数の穴を含み、前記複数のの穴は、試料粒子が通過する複数の経路を提供する、ことと、
前記試料粒子に前記フィルターを通過させることであって、前記複数の穴の断面寸法よりも大きい断面寸法を有する粒子が、前記フィルターによって遮断されることにより、前記フローサイトメーター開口の目詰まりを防止する、ことと、
前記複数の穴の断面寸法の大きさ未満の断面寸法を有する前記試料粒子に開口を通過させることであって、前記開口は、前記試料粒子がレーザービームによって識別される検知ゾーンを通るように前記試料粒子を誘導する、ことと
を含む、方法。
【請求項１５】
前記フローサイトメーターは、２００マイクロリットル／分未満の流体速度を有する前記フローサイトメーターの領域の中に配置された試料注入器をさらに含む、請求項１４に記載の方法。
【手続補正２】
【補正対象書類名】明細書
【補正対象項目名】００１５
【補正方法】変更
【補正の内容】
【００１５】
本開示の更なる特徴は、ここに了解される最良の発明実施モードを例示する好ましい実施例に関する以下の詳細な説明から、当業者にとって明らかとなろう。
本願明細書は、例えば、以下の項目も提供する。
（項目１）
診断機器であって、
フローサイトメーターと、
セプタムを有する管を保持するように構成された管ホルダーであって、前記管は、その中に流体を運ぶ、管ホルダーと、
前記セプタムを穿孔し、前記流体を吸引するように構成されたプローブと、
前記プローブに結合されたモータであって、前記モータは、前記プローブを前記セプタムに向かって移動させるように構成されており、かつ、前記プローブを前記セプタムから離れて移動させるように構成されているモータと、
前記モータに結合されたプロセッサであって、前記プロセッサは、前記モータの抵抗が変動する場合を検出する、プロセッサと
を備え、
前記診断機器は、前記モータ上で発生した抵抗によって、前記プローブが前記セプタムを穿孔する場合を検出することが可能であり、前記診断機器は、前記モータ上で発生した第２の抵抗によって、前記プローブが前記管の底部に接触する場合を更に検出可能である、診断機器。
（項目２）
前記管の寸法を表示するためのバーコードシステムを更に備える、項目１に記載に診断機器。
（項目３）
前記バーコードシステムは、前記管の近くに配置されたバーコードと、前記診断機器と連通するバーコードリーダーとを更に含む、項目２に記載の診断機器。
（項目４）
前記バーコードシステムは、管カセット上に保持されている複数個の管の寸法を表示する、項目２に記載の診断機器。
（項目５）
前記バーコードシステムは、前記診断機器内に挿入されている前記管の寸法の表示であるコードを読み取るように構成されている、項目２に記載の診断機器。
（項目６）
前記プロセッサは、前記管の前記寸法に基づいて、前記モータの動作を命令する、項目５に記載の診断機器。
（項目７）
管を前記診断機器内に挿入するためのドアを更に含む、項目１に記載の診断機器。
（項目８）
複数個の管は、前記ドアを介して同時に前記診断機器内に挿入され得る、項目７に記載の診断機器。
（項目９）
前記挿入された管は、既知の底部位置を有する管ホルダー内に保持され得る、項目７に記載の診断機器。
（項目１０）
管から流体をサンプリングする方法であって、
前記管がセプタムを有するかどうかを判定する工程と、
プローブを前記管に向かって誘導する工程と、
前記プローブを前記管内に下降させる工程と、
前記プローブがセプタムを通過するかどうかを検知する工程と、
前記プローブを前記管の底部に向かって下降させる工程と、
前記流体を前記管から吸引する工程と
を含む、方法。
（項目１１）
前記プローブを前記管の底部に接触させ、前記プローブが前記管の前記底部に接触したことを判定する工程を更に含む、項目１０に記載の方法。
（項目１２）
前記プローブを接触させる工程は、前記プローブを前記管に向かって下降させるために用いられるプローブモータ内の抵抗を監視することを含む、項目１１に記載の方法。
（項目１３）
一旦前記管の前記底部が接触したことの決定がなされたら、前記プローブを前記管の前記底部から離れるように後退させる工程を更に含む、項目１１に記載の方法。
（項目１４）
前記セプタムを判定する工程は、前記プローブを前記管に向かって下降させるために用いられるプローブモータ内の抵抗を監視することを更に含む、項目１０に記載の方法。
（項目１５）
前記管の前記寸法は、前記管内に前記プローブが挿入される前には未知である、項目１０に記載の方法。
（項目１６）
管内の流体をサンプリングするための診断機器であって、
フローサイトメーターと、
その中に流体を運ぶ管と、
前記管内に下降され、前記流体を吸引するように構成されたプローブと、
前記プローブに結合されたモータであって、前記モータは、前記プローブを前記管の底部表面に向かって移動させるように構成されており、かつ、前記プローブを前記管の底部表面から離れて移動させるように構成されているモータと、
前記モータに結合されたプロセッサであって、前記プロセッサは、前記モータの抵抗が変動する場合を検出する、プロセッサと
を備え、
前記診断機器は、前記プローブが抵抗に遭遇する場合を検出することが可能であり、例えば抵抗は、前記プローブが前記管の前記底表面部に打ち当たるときに遭遇する抵抗である、診断機器。
（項目１７）
前記プロセッサは、前記プローブが抵抗に遭遇したかどうかを判定するように、前記モータの抵抗を監視するように構成されている、項目１６に記載の診断機器。
（項目１８）
前記管の寸法を表示するためのバーコードシステムを更に含む、項目１６に記載の診断機器。
（項目１９）
前記プロセッサは、前記管の決定された寸法に基づいて、前記モータの動作を命令する、項目１６に記載の診断機器。
（項目２０）
管を前記診断機器内に挿入させるためのドアを更に含み、前記管は、所定の位置にて管ホルダー内で保持される、項目１６に記載の診断機器。